(57)【要約】      （修正有）【課題】人体にフィットし、冷気を逃がし難く、降温効果がより良好となるベストを提供する。【解決手段】ベストは、ベスト本体を含み、ベスト本体は、前部１１０、後部１２０、及び、前部１１０と後部１２０とを連結する連結部を含み、連結部には、人の頭部を通してベストを着用するための開口が設けられ、ベストの両側の腋下は、開口構造になっている。人体に対する降温を実現するためには、ベスト本体に降温装置を設けてもよい。本実施例において、前部１１０における人体に向く面（即ち、前部の内面）には、第一降温装置１６０が設けられ、後部１２０における人体に向く面（即ち、後部の内面）には、第二降温装置１７０が設けられている。第一降温装置１６０と前部１１０との間には、第一ＰＶＣ層２００が設けられ、第二降温装置１７０と後部１２０との間には、第二ＰＶＣ層２１０が設けられている。【選択図】図２
0003226106.tif 000002
【実用新案登録請求の範囲】
【請求項１】
前部と後部とが含まれたベスト本体を含むベストであって、前記前部における人体に向く面には、第一降温装置が設けられ、前記後部における前記人体に向く面には、第二降温装置が設けられている
ことを特徴とするベスト。
【請求項２】
前記ベスト本体には、前記前部と前記後部とを連結する連結部が更に含まれ、前記連結部には、開口が設けられ、前記ベスト本体における人体に向く面には、前記第一降温装置の外側及び第二降温装置の外側に位置する第一シール材が設けられ、前記開口には、第二シール材が設けられている
ことを特徴とする請求項１に記載のベスト。
【請求項３】
前記第一降温装置及び前記第二降温装置は、氷晶塊である
ことを特徴とする請求項１に記載のベスト。
【請求項４】
前記氷晶塊は、順次に貼り合わせられた純綿布層、第一ＥＶＡ層、氷晶層、第二ＥＶＡ層及び吸水布層を含む
ことを特徴とする請求項３に記載のベスト。
【請求項５】
前記第一シール材及び前記第二シール材は、シールバーである
ことを特徴とする請求項２に記載のベスト。
【請求項６】
前記第一シール材には、止め弁が設けられている
ことを特徴とする請求項５に記載のベスト。
【請求項７】
前記第一降温装置と前記前部との間には、第一ＰＶＣ層が設けられ、前記第二降温装置と前記後部との間には、第二ＰＶＣ層が設けられている
ことを特徴とする請求項１に記載のベスト。
【請求項８】
前記ベスト本体の左右両側には、連結材が設けられている
ことを特徴とする請求項１に記載のベスト。
【請求項９】
前記連結材は、ファスナーである
ことを特徴とする請求項８に記載のベスト。
【請求項１０】
前記ベスト本体における前記人体に向く面には、第一ポリエステル布が設けられ、前記開口内には、第二ポリエステル布が設けられている
ことを特徴とする請求項２に記載のベスト。
【考案の詳細な説明】
【技術分野】
【０００１】
本実用新案は、民生用防具の技術分野に関し、より具体的には、ベストに関する。
【背景技術】
【０００２】
地球温暖化により、多くの国は、夏の気温が３５℃以上に達しており、气温が３８．５℃まで上昇すると、密閉環境での相対温度が４５℃程度に達する可能性があり、人間の命を脅かしてしまう。この温度は、長時間屋外にいる人々によって、より深刻な傷害であり、運動する人たちは、激しい運動中に体温が急速に上昇し、体をタイムリーに冷やすことができず、人の体調不良を引き起こしてしまう。
【考案の概要】
【０００３】
本実用新案の特徴及び利点は、以下の説明に部分的に記載されているか、この説明から明らかになれるか、或いは、本実用新案を実施することで学習することができる。
【０００４】
本実用新案の目的は、人体を降温させるベストを提供することにある。
【０００５】
本実用新案は、上記技術的課題を解決するために採用された技術案が、以下の通りである。即ち、前部と後部とが含まれたベスト本体を含むベストであって、前記前部における人体に向く面には、第一降温装置が設けられ、前記後部における前記人体に向く面には、第二降温装置が設けられているベストを提供する。
【０００６】
前記ベスト本体には、前記前部と前記後部とを連結する連結部が更に含まれ、前記連結部には、開口が設けられ、前記ベスト本体における人体に向く面には、前記第一降温装置の外側及び第二降温装置の外側に位置する第一シール材が設けられ、前記開口には、第二シール材が設けられている。
【０００７】
前記第一降温装置及び前記第二降温装置は、氷晶塊である。
【０００８】
前記氷晶塊は、順次に貼り合わせられた純綿布層、第一ＥＶＡ層、氷晶層、第二ＥＶＡ層及び吸水布層を含む。
【０００９】
前記第一シール材及び前記第二シール材は、シールバーである。
【００１０】
前記第一シール材には、止め弁が設けられている。
【００１１】
前記第一降温装置と前記前部との間には、第一ＰＶＣ層が設けられ、前記第二降温装置と前記後部との間には、第二ＰＶＣ層が設けられている。
【００１２】
前記ベスト本体の左右両側には、連結材が設けられている。
【００１３】
前記連結材は、ファスナーである。
【００１４】
前記ベスト本体における前記人体に向く面には、第一ポリエステル布が設けられ、前記開口内には、第二ポリエステル布が設けられている。
【００１５】
本実用新案のベストは、ベスト本体に降温装置を設けることで、人体に対する降温を実現し、動作環境の温度を有効的に低下させるという積極的な役割を果たすとともに、運動時にも人体の温度をタイムリーに低下させることができ、その一方で、ベスト本体にシール材を設けており、着用後、ベストが人体にフィットするため、ベスト内に比較的密閉した空間が形成され、冷気が逃がし難く、降温効果がより良好となる。
【図面の簡単な説明】
【００１６】
以下、図面を参照して、実施例により本実用新案を詳しく説明し、本実用新案の利点及び実現方式は、より明白になるだろう。図面に示される内容は、本実用新案を解釈及び説明するためのものに過ぎず、本実用新案に対する如何なる意味での制限でもない。
【図１】本実用新案の実施例におけるベストを正面から見た構造図である。
【図２】本実用新案の実施例におけるベストの分解図である。
【図３】本実用新案の実施例における氷晶塊の分解図である。
【図４】本実用新案の実施例におけるベストを背面から見た構造図である。
【考案を実施するための形態】
【００１７】
図１、図２及び図４に示すように、本実用新案の実施例は、頭から被って着るベストであって、持ち運び易く、着脱も簡単なベストを提案している。該ベストは、ベスト本体１００を含み、ベスト本体１００は、前部１１０、後部１２０、及び、前部１１０と後部１２０とを連結する連結部１３０を含み、連結部１３０には、人の頭部を通してベストを着用するための開口が設けられ、ベストの両側の腋下は、開口構造になっている。
【００１８】
人体に対する降温を実現するためには、ベスト本体１００に降温装置を設けてもよい。本実施例において、前部１１０における人体に向く面（即ち、前部の内面）には、第一降温装置１６０が設けられ、後部１２０における人体に向く面（即ち、後部の内面）には、第二降温装置１７０が設けられている。第一降温装置１６０により、人の前胸に対する降温が実現され、第二降温装置１７０により、人の後背に対する降温が実現される。ベスト本体に降温装置を設けることで、動作環境の温度を有効的に低下させるという積極的な役割を果たすとともに、運動時にも人体の温度をタイムリーに低下させることができる。
【００１９】
第一降温装置１６０と前部１１０との間には、第一ＰＶＣ層２００が設けられ、第二降温装置１７０と後部１２０との間には、第二ＰＶＣ層２１０が設けられている。
【００２０】
本実施例において、第一降温装置１６０及び第二降温装置１７０は、氷晶塊であり、前部１１０の内面には、２つの氷晶塊が設けられ、後部１２０の内面には、２つの氷晶塊が設けられている。図３を参照して、氷晶塊の厚さは、８ｍｍ〜１４ｍｍであり、氷晶塊は、順次に貼り合わせられた純綿布層１７１、第一ＥＶＡ層１７２、氷晶層１７３、第二ＥＶＡ層１７４及び吸水布層１７５を含み、そのうち、純綿布層、第一ＥＶＡ層、第二ＥＶＡ及び吸水布層の厚さは、いずれも１．５ｍｍであり、純綿布層１７１、第一ＥＶＡ層１７２、氷晶層１７３、第二ＥＶＡ層１７４及び吸水布層１７５は、外方から内方に向かって順次に設けられている。氷晶塊は、氷晶が凍結した後に液化すると、熱を吸収するという原理を用いることで、降温して人を涼しく快適にする効果を奏するとともに、氷晶塊は、使用者の休憩時に冷蔵庫に入れて解凍すれば、循環使用可能となる。
【００２１】
ベストが身体に着用された後のシール性を確保し、冷気の漏れを防止するために、ベスト本体１００における人体に向く面には、第一降温装置１６０の外側及び第二降温装置１７０の外側に位置する第一シール材１４０が設けられ、開口には、第二シール材１５０が設けられており、着用後、ベストが人体にフィットするため、第一シール材及び第二シール材により、ベスト内に比較的密閉した空間が形成され、冷気を逃がし難く、降温効果がより良好となり、大気粉塵による汚染も受けにくい。
【００２２】
本実施例において、第一シール材１４０及び第二シール材１５０は、シールバーであり、第一シール材には、止め弁１４１が設けられている。
【００２３】
ベスト本体１００の左右両側には、連結材１１１が設けられており、ベストは、身体に被った後に、連結材１１１によって固定される。本実施例において、連結材１１１は、ファスナーであり、ベストの迅速な着用を実現できる。
【００２４】
ベスト本体１００における人体に向く面には、第一ポリエステル布１８０が設けられ、開口内には、第二ポリエステル布１９０が設けられている。
【００２５】
本実用新案の実施例により提案されたベストは、ベスト本体に降温装置を設けることで、人体に対する降温を実現し、動作環境の温度を有効的に低下させるという積極的な役割を果たすとともに、運動時にも人体の温度をタイムリーに低下させることができ、その一方で、ベスト本体にシール材を設けており、着用後、ベストが人体にフィットするため、ベスト内に比較的密閉した空間が形成され、冷気を逃がし難く、降温効果がより良好となる。
【００２６】
以上、図面を参照して本実用新案の好適な実施例を説明したが、当業者であれば、本実用新案の範囲及び本質から逸脱することなく、種々な変形により本実用新案を実現することが可能である。例えば、一実施例の一部として例示又は説明された特徴を別の実施例に用いてさらなる一実施例を得ることができる。上述したのは、本実用新案の好ましい実施可能な実施例に過ぎず、本実用新案の権利の範囲は、これによって限定されない。本実用新案の明細書及び図面の内容に基づいてなされた同等的変更は、いずれも本実用新案の権利の範囲に含まれる。
【図１】
0003226106.tif 000003
【図２】
0003226106.tif 000004
【図３】
0003226106.tif 000005
【図４】
0003226106.tif 000006